(57)【要約】【課題】キャリー部とシート部からなる分離式の入浴キャリーにおいて、簡単な操作で分離及びセットでき、安全に使用できる入浴キャリーとすることを課題とする。【解決手段】  前輪と後輪を備えたキャリー部と、背部及び腰部を一体的に構成してなるシート部とからなる分離式の入浴キャリーにおいて、前記キャリー部の上縁部は前後方向に平行なフレーム構成とするとともに、キャリー部の後部側には側面視において略ｙ字状の受部を設ける一方、前記シート部の下部には前後に離間して略逆山型状のガイドパイプを固着するとともに、キャリー部に設けたロック部により前記前側のガイドパイプを保持可能に構成した。【選択図】図１
2008253426.tif 000002
【特許請求の範囲】
【請求項１】
前輪と後輪を備えたキャリー部と、背部及び腰部を一体的に構成してなるシート部とからなる分離式の入浴キャリーにおいて、前記キャリー部の上縁部は前後方向に平行なフレーム構成とするとともに、キャリー部の後部側には側面視において略ｙ字状の受部を設ける一方、前記シート部の下部には前後に離間して略逆山型状のガイドパイプを固着するとともに、キャリー部に設けたロック部により前記前側のガイドパイプを保持可能に構成したことを特徴とする分離式の入浴キャリー。
【請求項２】
上記ロック部を、上方開放の切欠孔を設けたロックシジプレートをキャリー部の前上部に固着しするとともに、このロックシジプレートにロックツメと復帰部を備えたロックプレートを回動自在に支承するとともに、このロックプレートをロック状態及びロック解除状態となる方向にそれぞれ付勢するようスプリングを取り付けることにより構成し、上記前側のガイドパイプに固着したロックバーが前記切欠孔に嵌ると自動的にロックプレートがロック状態となるよう構成したことを特徴とするロック部を備えた請求項１に記載の分離式の入浴キャリー。
【発明の詳細な説明】
【技術分野】
【０００１】
本発明は、歩行が困難な方の入浴介護に適した分離式の入浴キャリーに関するものである。
【背景技術】
【０００２】
自力で立つことが困難な人を入浴させる場合には、介護する人が入浴する人を入浴用車椅子であるシャワーキャリーで浴槽の横まで運び、シャワーキャリーから浴槽の縁に移乗させ、その後、浴槽の中に入浴する人を入れている。しかしながら、この入浴方法では、介護する人だけでなく介護される人にとっても、車椅子と浴槽との間の移乗は大変な作業となっている。このため、自力で立つことが困難な人を入浴させる場合に、シャワーキャリーと浴槽の縁との間の移乗を無くすことができるようにキャリー部とシート部とに分離できる構成の入浴キャリーとリフト装置を併用する方法がとられている。
このような分離式の入浴キャリーは、主として床走行に適したキャリー部とこのキャリー部上にセットされるシート部とからなり、必要に応じて分離できるように構成されたものである。
【０００３】
前記分離式入浴キャリーとして、キャリー部に、吊掛け部を備えたシート部を結合手段を介して分離可能に固定させたものがある。なお、この結合手段は、キャリー部及びシート部間に設けられた雌雄の関係となる結合金具又は、キャリー部とシート部とを一緒に結び付けるものとなるベルト止め具としたものがある（特許文献１参照）。
また、別の分離式入浴キャリーとして、キャリー部を、後側に支持枠体を有する略方形状に枠組みした本体部と、本体部の前側に設けるブラケットと、本体部及びブラケットの下側に設けた車輪とで構成し、またシート部を、座部と、座部より立設し、かつ支持枠体の上方に至る背凭れ部と、連結杆と、脚体部と、足載部とで構成し、本体部の架承部と、連結杆、又は本体部と座部等とを介してキャリー部とシート部を一体化する構造としたものがある（特許文献２参照）。
【０００４】
しかしながら、前者の入浴キャリーでは、雄雌の関係となる結合金具の場合にはセットする際の位置合わせが難しく、また、ベルトであった場合には分離操作や結合動作をしなければならず手間がかかるといった問題点がある。
また、後者の入浴キャリーでは、キャリー部とシート部との結合には、本体部の架承部にシート部の連結杆を架承し、本体部のＬ型鋼を利用して座部の側枠を載架するだけの構成となっている。したがって、キャリー部とシート部間にロック機構がないものであるので、車椅子として使用する際に分離する恐れがあったり、がたつきが大きかったりするなど、安心して使用するには不安の残るものであった。
【０００５】
このように、従来の分離式の入浴キャリーは、分離またはセットが簡単にできなかったり、車椅子のようにして使用する際にしっかりした固定ができなかったりといった問題点があった。
【特許文献１】特開平１１−２５３５２０号公報
【特許文献２】特開２００５−５８５９９号公報
【発明の開示】
【発明が解決しようとする課題】
【０００６】
本発明は上記問題点に鑑みなされたものであり、キャリー部とシート部からなる分離式の入浴キャリーにおいて、簡単な操作で分離及びセットでき、安全に使用できる入浴キャリーとすることを課題としている。
【課題を解決するための手段】
【０００７】
請求項１の発明では、前輪と後輪を備えたキャリー部と、背部及び腰部を一体的に構成してなるシート部とからなる分離式の入浴キャリーにおいて、前記キャリー部の上縁部は前後方向に平行なフレーム構成とするとともに、キャリー部の後部側には側面視において略ｙ字状の受部を設ける一方、前記シート部の下部には前後に離間して略逆山型状のガイドパイプを固着するとともに、キャリー部に設けたロック部により前記前側のガイドパイプを保持可能に構成したことを特徴とする。
請求項２の発明では、上記ロック部を、上方開放の切欠孔を設けたロックシジプレートをキャリー部の前上部に固着しするとともに、このロックシジプレートにロックツメと復帰部を備えたロックプレートを回動自在に支承するとともに、このロックプレートをロック状態及びロック解除状態となる方向にそれぞれ付勢するようスプリングを取り付けることにより構成し、上記前側のガイドパイプに固着したロックバーが前記切欠孔に嵌ると自動的にロックプレートがロック状態となるよう構成したことを特徴とする。
【発明の効果】
【０００８】
請求項１の発明によれば、分離式の入浴キャリーは前輪と後輪を備えたキャリー部と、背部及び腰部を一体的に構成したシート部とから構成されている。したがって、シート部をキャリー部にセットした状態では所望の場所に移動可能であるとともに、分離した状態では、シート部をリフト装置などを利用して浴槽内へ移動することができるので入浴介助を行い易い。また、前記キャリー部の上縁部は前後方向に平行なフレーム構成である一方、シート部の下部には略逆山型状のガイド部材が前後に固着されている。したがって、大まかにキャリー部の上方からシート部を下降させるだけで左右方向の位置調節が自動的に行われる。また、キャリー部の後部には側面視において略ｙ字状の受部を設けているので、この受部に前記後側のガイドパイプが接触することで前後方向の位置調節も自動的に行われる。キャリー部に対してシート部の前後左右の位置調節がほとんど自動的に行われるので簡単にセットできる。また、前記ｙ字状の受部の下部に後ガイドパイプが位置した状態で前ガイドパイプがキャリー部にロックされるので、安定して使用することができる。
請求項２の発明によれば、ロック部は前記前ガイドパイプに固着したロックバーがロックシジプレートに設けた切欠孔に嵌ると自動的にロックされるようにロックプレートが作動するので、キャリー部にシート部をセットする際にはシート部の下降動作のみで良く、非常に簡単であるとともに、ロックを掛け忘れることもないので安全である。
【発明を実施するための最良の形態】
【０００９】
前輪と後輪を備えたキャリー部と、背部及び腰部を一体的に構成してなるシート部とからなる分離式の入浴キャリーにおいて、前記キャリー部の上縁部は前後方向に平行なフレーム構成とするとともに、キャリー部の後部側には側面視において略ｙ字状の受部を設ける一方、前記シート部の下部には前後に離間して略逆山型状のガイドパイプを固着するとともに、キャリー部に設けたロック部により前記前側のガイドパイプを保持可能に構成する。さらに、前記ロック部を、上方開放の切欠孔を設けたロックシジプレートをキャリー部の前上部に固着しするとともに、このロックシジプレートにロックツメと復帰部を備えたロックプレートを回動自在に支承するとともに、このロックプレートをロック状態及びロック解除状態となる方向にそれぞれ付勢するようスプリングを取り付けることにより構成し、上記前側のガイドパイプに固着したロックバーが前記切欠孔に嵌ると自動的にロックプレートがロック状態となるよう構成する。
【実施例１】
【００１０】
以下、図面に基づき本発明に係る分離式の入浴キャリー１について説明する。
本発明に係る分離式の入浴キャリー１は、主としてキャリー部２とシート部３及びキャリー部２にシート部３を固定するためのロック部４とからなる。なお、本実施例では、入浴者Ｍがこの入浴キャリー１に着座した状態を基準として前後左右としている。
【００１１】
まず、キャリー部２について説明する。このキャリー部２は、前輪５，５及び後輪６，６を備えた車体フレーム７からなるものである。詳述すると、正面視において下方開放の略コ字状に形成した前輪支持パイプ７ａの後部に側面視において略コ字状となるサイドパイプ７ｂ，７ｂを固着し、さらに、これらサイドパイプ７ｂ，７ｂの後端部に正面視において下方開放の略コ字状に形成したバックパイプ７ｃを固着して、車体フレーム７の上縁部が一定間隔離間した状態で平行に配されている。そして、前記前輪支持パイプ７ａの下端部にはキャスター型の前輪５，５が止着されており、バックパイプ７ｃの下部寄りには後輪６，６が転動自在な状態で支承されている。
なお、前記バックパイプ７ｃは、側面視において上部側及び下部側を後方に向けて傾斜した状態となるように曲折している。そして、このバックパイプ７ｃの上側の曲折部近傍には、補強パイプ７ｄが固着されている。この補強パイプ７ｄとバックパイプ７ｃの間には、シートシジプレート８が固着されている。このシートシジプレート８の形状は、図６に示すように側面視においてｙ字状となる受部を備えるよう構成し、シート部３のガイド部が広い受部により受け取ることができるようにするともに、シート部３の下方移動に伴い前後位置も自動的に設定されるような形状としている。
【００１２】
また、このように構成された車体フレーム７の前下方には足受部９が具備されている。
この足受部９は、コ字状のフットパイプ９ａの後端部にブラケットプレート９ｂ，９ｂを固着して、これらのブラケットプレート９ｂ，９ｂを前記前輪支持パイプ７ａの下方部に上下回動自在となるように支承している。そして、このフットパイプ９ａの上面に足受マット９ｃを止着して足受部９を構成している。
なお、この足受部９は後述するシート部３をキャリー部２に固定して車椅子（図３及び図７に示す状態）の状態で入浴者Ｍを移動する際には、下方回動させた状態で使用して、浴室まで移動する。そして、入浴者Ｍの身体を洗う際には適宜上方回動させて使用するなど、使用状況にあわせて変更できるように構成したものである。
【００１３】
次にシート部３について説明する。このシート部３は矩形状に構成された枠状のパイプを略Ｌ字状に曲折してなるシートフレーム１０を備えている。このシートフレーム１０内にはそれぞれ補強プレート１０ａ，１０ａ，・・・が固着されて腰部及び背部が一体となったフレーム構成としている。
そして、このシートフレーム１０には座部マット１１と背部マット１２が止着されている。
また、シート部３の背部及び腰部の背面あるいは裏面側の適所にはフック１３，１３，・・・が固着されており、このフック１３，１３，・・・にベルトＢ等を掛止してリフト等により移動あるいは昇降できるようになっている。
さらに、シート部３の背部の下部及び座部の前方寄りの位置には上記シート部３の受部として略逆山型状に屈曲した後ガイドパイプ１４と前ガイドパイプ１５を固着している。  そして、座部側の前ガイドパイプ１５の中央部にはコ字状のロックバー１６を固着している。
【００１４】
次に図８に基づいてロック部４について説明する。
まず、車体フレーム７の前輪支持パイプ７ａの上側水平部の中央には平面視において略コ字状のロックシジプレート１７が固着されている。このロックシジプレート１７には上方開放の略Ｕ字状の切欠孔１７ａが設けられており、この切欠孔１７ａに上記シート部３のロックバー１６が嵌脱する。また、ロックシジプレート１７内には、鉤状に形成されたロックプレート１８が回動自在な状態で軸着されており、このロックプレート１８により前記切欠孔１７ａ内でロックバー１６を保持拘束できるよう構成している。なお、このロックプレート１８はスプリング１９によってロック状態（図８（ａ）の状態）またはロック解除状態（図８（ｂ）の状態）となる方向にそれぞれ回動されるよう付勢されている。
このロック部４について詳述すると、ロックプレート１８をロック状態から解除状態までの回動範囲の略中間位置としたときに、ロックプレート１８の回動中心とスプリング１９の一端部を掛止するロックシジプレート１７に穿設した空孔部１７ｂを結ぶ線上に、スプリング１９の他端部を掛止するロックプレート１８の空孔部１８ａを位置させている。
したがって、この状態から何れか一方に回動させるとその方向側に回動されてロックプレート１８が保持されるように構成されている。
【００１５】
また、上記キャリー部２のシートシジプレート８は、上述したように側面視において略ｙ字状となる受部を備えるよう構成されており、上部には逆三角形状の広い開口部８ａが形成され、その下方に斜め下方に向けた開口部８ｂが連続して一体的に形成されている。
これは、上部の逆三角形状の開口部８ａでシート部３に配されている後ガイドパイプ１４を受け易くするための形状であるとともに、開口部８ｂに上記後ガイドパイプ１４が嵌ると一方向のみ抜ける状態となり、その他の方向には相対的な移動ができないよう拘束された状態とするための形状である。
【００１６】
次に上述したように構成された分離式の入浴キャリー１の使用方法について説明する。
まず始めに、キャリー部２とシート部３の分離手順について説明する。
キャリー部２とシート部３が一体となった車椅子の状態では、図７及び図８（ａ）に示す状態となっている。この状態では、シート部３の後ガイドパイプ１４と前ガイドパイプ１５の傾斜部がそれぞれキャリー部２の上縁部に接当した状態で支持されている。また、前ガイドパイプ１５に固着されているロックバー１６がロック部４でロックされた状態にある。そのため、後ガイドパイプ１４は前上方への移動ができない状態にある。したがって、キャリー部２とシート部３が分離できない状態であるとともに、がたつきもほとんど無い状態となっている。
この状態から、シート部３を分離するには、ロック部４のロックプレート１８を上方回動させる（図８（ｂ）参照）。このとき、ロックプレート１８のロックツメ１８ｂがロックシジプレート１７の切欠孔１７ａから離間してロックプレート１８の復帰部１８ｃが前記溝部７ａにかかる状態となる。この状態から、キャリー部３のフック１３，１３，１３，・・・にベルトｂ，ｂ，ｂ，・・・等を掛止してリフトで吊り上げると、キャリー部３は後ガイドパイプ１４を基端として前ガイドパイプ１５側が上方回動されるとともに、ロックバー１６が切欠孔１７ａから抜け出る。このとき、ロックバー１６は前記復帰部１８ｃに接触するのでロックプレート１８が自動的にロック状態まで回動される（図８（ｃ）参照）。さらに、キャリー部３を上昇させるとガイドプレート８の開口部８ｂから後ガイドパイプ１４が抜け出て、キャリー部３と分離される。この状態からさらに上昇させたり、旋回させたりして浴槽Ｂ内へ移動させるなど入浴介助を行うことができる。
【００１７】
次に、分離した状態からシート部３とキャリー部２をセットする際の手順について説明する。なお、キャリー部３を吊り上げた状態では、図６に示すように入浴者Ｍが安定した姿勢となるようやや後方に傾倒した状態、すなわちチルトしたような姿勢となっている。そのため、前ガイドパイプ１５よりも後ガイドパイプ１４が下方に位置しており、先に後ガイドパイプ１４がキャリー部２に接触するよう構成している。
まず、リフト等によって吊り上げられた状態のシート部３をキャリー部２の上部に位置するように配置する。この状態からシート部３を下降させると、シート部３の後ガイドパイプ１４がキャリー部のガイドプレート８に接触する。このとき、ガイドプレート８に設けた上方開口の広い開口部８ａによりガイドパイプ１４が案内されて（図６中の矢印参照）、シート部３を下降させるだけで狭い開口部８ｂ内へとキャリー部２を相対的に移動させることで、キャリー部２とシート部３の前後方向の位置が自動的に調節される。また、キャリー部を下降するときには、キャリー部３の後ガイドパイプ１４及び前ガイドパイプ１５の傾斜部がキャリー部２の車体フレーム７の上縁部に接触することによって、左右方向の位置も自動的に最適な位置に調節される。すなわち、キャリー部２上部とシート部３下部全体で凹凸の関係となっており、最適な位置に調節されるように構成されている。
【００１８】
さらに、シート部３がキャリー部２にセットされると、前ガイドパイプ１５に固着されたロックバー１６がロックシジプレート１７の切欠孔１７ａに嵌る。このとき、ロック部４は、ロック状態にあるがロックバー１６がロックプレート１８のロックツメ１８ｂをスプリング１９の付勢力に抗して解除する方向へ回動させ、切欠孔１７ａに嵌る。然る後、ロックツメ１８がロック状態となるようにスプリングにより自動的に回動され、図８（ａ）に示すロック状態となる。このように、キャリー部２にシート部３をセットするときには、シート部３を下降させるだけでよく、非常に簡単である。また、車椅子の状態となったときには、シート部３の後ガイドパイプ１４及び前ガイドパイプ１５の傾斜部がキャリー部２の上縁部に接して支持されているので安定している。また、自動的にロック状態となるので安全に使用することができる。
【００１９】
このように、本発明にかかる分離式の入浴キャリー１では、分離の時にはロック解除の操作だけで良く、セットする際には本体側の操作は必要なく、非常に簡単に使用することができる。また、セットする際の位置あわせもキャリー部２に大まかに位置させシート部３を下降させるだけで良く、便利である。
【００２０】
なお、上記構成の分離式の入浴キャリー１には、図１に示すようにキャリー部２にブレーキ装置２０を具備したり、シート部３にテスリ２１，２１を具備したりするとより安全に使用することができる。
まず、前記ブレーキ装置２０は、ペダル部２２とブレーキ部材２３と、これらペダル部２２とブレーキ部材２３を連結する作用杆２４とから主に構成されている。
前記ペダル部材２２は、キャリー部２のバックパイプ７ｃの後輪６，６の支承部に回動自在となる状態で取り付けられている。また、ブレーキ部材２３はキャリー部２に止着された左右一対のブラケット７ｅ，７ｅに回動自在となるように支承されており、このブレーキ部材２３と前記ペダル部２２が連結杆２４で連結されている。なお、このブレーキ部材２３とキャリー部２間には、スプリング２５が張設されており、ペダル部２２を解除したときに、ブレーキ部材２３が後輪６，６に接触しないように回動させる方向に付勢する状態にある。
【００２１】
また、上記テスリ２１，２１は次のように構成している。
まず、テスリ２１の回動軸受２６，２６をシート部３の背受部両側部に位置するシートフレーム１０に固着している。なお、この回動軸受２６，２６は左右方向に対してやや前方向きとなるように傾斜した状態で固着してある。そして、この回動軸受２６，２６にはＬ字状に曲折したテスリパイプ２７，２７がそれぞれ支承されている。
なお、回動軸受２６，２６及びテスリパイプ２７，２７にはそれぞれツメ部（図示省略）が設けられており、一定の範囲内で回動自在となっている。すなわち、図１に示す使用状態と後方に向けて回動させ、側方を開放した状態とすることができるように構成したものである。
また、このテスリ２１，２１は傾斜した状態の回動軸受２６，２６に支承されているので、入浴者Ｍが座っていても使用状態から開放状態へとテスリ２１，２１を跳ね上げるだけの操作で斜め後方に回動され、入浴者Ｍの身体を避けて回動するよう構成している。
さらに、シート部３の背部の上側に頭受２８を取り付けて入浴者Ｍの頭部を保持できるよう構成してもよい。
上述したように構成することで、より快適に安全に使用することができる。
【図面の簡単な説明】
【００２２】
【図１】使用状態を示す説明図
【図２】分離型入浴キャリーの主な構成を示す説明図
【図３】その車椅子状態を示す説明図
【図４】シート部を示す全体正面図
【図５】キャリー部を示す全体正面図
【図６】分離した状態を示す側断面図
【図７】図３の状態での側断面図
【図８】ロック部の作用を示す要部側断面図
【符号の説明】
【００２３】
１    分離式入浴キャリー
２    キャリー部
３    シート部
４    ロック部
５    前輪
６    後輪
７    車体フレーム
１０  シートフレーム
１８  ロックプレート
【図１】
2008253426.tif 000003
【図２】
2008253426.tif 000004
【図３】
2008253426.tif 000005
【図４】
2008253426.tif 000006
【図５】
2008253426.tif 000007
【図６】
2008253426.tif 000008
【図７】
2008253426.tif 000009
【図８】
2008253426.tif 000010